(57)【要約】【課題】移動刃が固定刃の下側に潜り込むことなく、確実にロール状記録材を切断することができる切断装置を提供する。【解決手段】切断装置固定部材３１の表面に沿って配置される底板部３０Ａと、底板部３０Ａの一方の縁から垂直に折れ曲がった立ち上がり板部３０Ｂと、立ち上がり板部３０Ｂの上縁から底板部３０Ａと対面して平行をなすように折れ曲がった平行板部３０Ｃと、平行板部３０Ｃの端縁から折れ曲がった立ち上がり板部３０Ｄとからなる押さえ板３０を、立ち上がり板部３０Ｄが固定刃取付台１２の外側面に沿って配置されるように、切断装置固定部材３１にロックネジ３３で固定した。このため、固定刃取付台１２が外側に広がることを防止して、回転丸刃１５が固定刃１３の下側に潜り込むことを防止できる。【選択図】        図３
2005008381.tif 000002
【特許請求の範囲】
【請求項１】
装置台板に、ロール状記録材の記録材搬送路となるスリットが形成されて、該スリットを隔てて、固定刃取付板部と、移動刃取付板部と、が形成され、
前記固定刃取付板部に、前記スリット沿って固定刃が配置され、前記移動刃取付板部に、前記固定刃に接触しつつ移動して前記記録材を幅方向に切断する移動刃が移動可能に設けられ、
前記装置台板の前記固定刃取付板部及び前記移動刃取付板部のうちの一方が被取付部に支持される切断装置であって、
前記固定刃取付板部及び移動刃取付板部のうちの他方が、前記スリットを押し広げる方向へ変形することを抑える広がり防止部材を、前記被取付部に設けることを特徴とするロール状記録材の切断装置。
【請求項２】
前記広がり防止部材は、前記固定刃取付板部側及び移動刃取付板部側のうちの他方の側部と底部とに沿って断面Ｌ字状に形成された部分を有することを特徴とする請求項１記載のロール状記録材の切断装置。
【請求項３】
請求項１又は請求項２に記載されたロール状記録材の切断装置を備え、前記被取付部は画像形成装置本体側の部材であることを特徴とする画像形成装置。
【発明の詳細な説明】
【０００１】
【発明の属する技術分野】
この発明は、ロール状記録材の切断装置及びそれを備えた画像形成装置に関する。
【０００２】
【従来の技術】
複写機、プリンタ、ファクシミリ等の画像形成装置において、例えば、紙、プラスチックシート、布、ＯＨＰ用シート等の記録材（以下、記録シートという。）をロール状に巻いてなるロール状記録シートを、所望のサイズに切断する切断装置を備えたものが知られている。このようにロール状に巻いた記録シートは、記録画像の長さに合わせて記録シートを切断できるため、長尺物を複写したりするのに便利である。特に、ロール状の記録シートは、広幅サイズの複写等の場合、予めサイズが決まっている記録シートと比較してセット取り扱いが容易であるため、工業用の広幅機に多用されている。
【０００３】
このようなロール状記録材の切断装置として、記録シートの搬送路の所定の位置に、記録シートの幅方向に沿って、記録シートの幅寸法よりも長い固定刃が配置され、この固定刃の刃先に沿って摺動する移動刃とを備えたものが知られている（例えば、特許文献１参照。）。
【０００４】
この切断装置では、固定刃と移動刃とが直角をなすように配置されており、固定刃の刃面に沿って配置される記録シートを、固定刃の刃先上に沿って移動する移動刃の刃先で切断するようになっている。このような切断装置においては、移動刃はキャリッジに取り付けられている。このキャリッジは、一方の側部で記録シートの切断を行い、反対側の側部がガイドレールに走行自在となっている。なお、キャリッジは、回転制御されるプーリーに掛け渡されたワイヤを介して、記録シートの幅方向への移動が制御されるようになっている。
【０００５】
また、他のロール状記録材の切断装置としては、図５に示すように、固定刃１０４と回転丸刃１０６とが平行をなすように面接触するように配置されたものがある。なお、図５は、切断装置１００を模式的に示す要部説明図である。この切断装置１００は、図５に示すように、画像形成装置本体側の部材１０１に対して幅方向の一方側で固定される装置台板１０２と、この装置台板１０２に取り付けられる固定刃取付台１０３と、この固定刃取付台１０３上に固定される固定刃１０４と、装置台板１０２に取り付けられるガイドプレート１０５と、このガイドプレート１０５に沿って走行可能に設けられた、回転丸刃１０６を備えた移動刃キャリッジ１０７と、移動刃キャリッジ１０７をガイドプレート１０５に沿って走行駆動するための、図示しない一対のプーリに掛け回されたワイヤ等を備えて構成されている。
【０００６】
【特許文献１】
特開平８−２２９８８３号公報（第３頁、図５及び図６）
【発明が解決しようとする課題】
しかしながら、図５に示したタイプの切断装置１００では、回転丸刃１０６側のガイドプレート１０５と固定刃１０４側の固定刃取付台１０３とが記録シートの搬送路Ｒとなる間隙を挟んで対峙しているため、以下に説明するような不都合を生じる場合がある。
【０００７】
すなわち、上述した切断装置１００では、記録シートが搬送されるときに、記録シートの表面に皺や耳折れが発生した状態で送られるとジャム（紙詰まり）が発生する。その状態で、回転丸刃１０６が移動を始めると、ジャムが発生した記録シートの皺等が回転丸刃１０６のガイドとなって、移動キャリッジ１０７側と、固定刃付台１０３側とが、例えば図５に示す太い矢印ａ、ｂに示す斜め方向へ押し広げられる現象が発生する。その際、図６に示すように、回転丸刃１０６が固定刃１０４の下側に潜り込むと、回転丸刃１０６が移動不能となり、記録シートを切断できなくなる問題が発生する。このような問題は、上述した固定刃と移動刃とが直角をなすように接触して配置されるタイプの切断装置においても同様に生じる。
【０００８】
そこで、本発明は、移動刃が固定刃の下側に潜り込むことなく、確実にロール状記録材を切断することができる切断装置及びそれを備えた画像形成装置を提供することを目的としている。
【０００９】
【課題を解決するための手段】
請求項１記載の発明は、装置台板に、ロール状記録材の記録材搬送路となるスリットが形成されて、該スリットを隔てて、固定刃取付板部と、移動刃取付板部と、が形成され、前記固定刃取付板部に、前記スリット沿って固定刃が配置され、前記移動刃取付板部に、前記固定刃に接触しつつ移動して前記記録材を幅方向に切断する移動刃が移動可能に設けられ、前記装置台板の前記固定刃取付板部及び前記移動刃取付板部のうちの一方が被取付部に支持される切断装置に関するものである。この発明に係るロール状記録材の切断装置は、前記固定刃取付板部及び移動刃取付板部のうちの他方が、前記スリットを押し広げる方向へ変形すること抑える広がり防止部材を、前記被取付部に設けることを特徴としている。
【００１０】
請求項２記載の発明は、請求項１記載のロール状記録材の切断装置に関する。この発明に係る切断装置は、前記広がり防止部材が、前記固定刃取付板部側及び移動刃取付板部側のうちの他方の側部と底部とに沿って断面Ｌ字状に形成された部分を有することを特徴としている。
【００１１】
請求項３記載の発明は、請求項１又は請求項２に記載されたロール状記録材の切断装置を備えた画像形成装置に関し、前記被取付部は画像形成装置本体側の部材であることを特徴としている。
【００１２】
【発明の実施の形態】
以下、本発明の実施の形態に係るロール状記録材の切断装置及びそれを備えた画像形成装置の詳細を図面に基づいて説明する。なお、図１は本実施の形態に係る画像形成装置の概略構成図、図２は切断装置の斜視図、図３は図２のＡ−Ａ断面図、図４は広がり防止部材としての押さえ板を示す斜視図である。
【００１３】
（画像形成装置の概略構成）
まず、図１に示す画像形成装置１の概略構成について説明する。本実施の形態に係る画像形成装置１は、画像形成装置本体２に、ロール状記録材としてのロール状記録シート３を回転可能に格納すると共に、図示しないフィードローラ等のシート繰り出し手段を備えるロール格納部４と、このロール格納部４から繰り出された記録シート３Ａを所望のサイズで幅方向に沿って切断する切断装置５と、この切断装置５で切断された記録シート３Ａを搬送するピンチローラ６と、このピンチローラ６で搬送された記録シート３Ａに画像を記録する画像形成部７と、画像が記録された記録シート３Ａの画像定着を行う定着部８と、定着部８で定着処理された記録シート３Ａを記録材搬送路Ｒに沿って排紙トレー９まで搬送する各種の搬送系部材１０と、から大略構成されている。
【００１４】
（切断装置の構成）  本実施の形態に係るロール状記録材の切断装置５は、被取付部としての画像形成装置本体２側に、押さえ板３０を設けたことを特徴としている。この切断装置５は、図２に示すように、画像形成装置本体２側に固定される装置台板１１と、この装置台板１１に取り付けられる固定刃取付台１２と、この固定刃取付台１２上に固定される固定刃１３と、装置台板１１に取り付けられるガイドプレート１４と、このガイドプレート１４に沿って走行可能に設けられた、移動刃としての回転丸刃１５を備えた移動刃キャリッジ１６と、移動刃キャリッジ１６をガイドプレート１４に沿って走行駆動するための、一対のプーリ１７に掛け回されたワイヤ１８と、を備えて大略構成されている。
【００１５】
《装置台板の構造》  まず、装置台板１１の構造を説明する。装置台板１１は、画像形成装置本体２における記録材搬送路Ｒ上に配置される細長い略長方形状の例えば金属で形成されたプレートである。この装置台板１１は、その長手方向が、搬送される記録シート３Ａの幅方向Ｗと同じ方向に配置される。なお、装置台板１１には、記録シート３Ａが通過できるシート通過用スリット１９が形成されている（図２及び図３参照。）。このシート通過用スリット１９は、図２に示すように、搬送される記録シート３Ａの幅方向Ｗに沿って記録シート３Ａの幅寸法よりも長く形成されている。また、シート通過用スリット１９は、装置台板１１の一方の長辺にやや近づいた位置に配置されている。このため、装置台板１１は、図３に示すように、シート通過用スリット１９挟んで、幅の狭い固定刃取付部１１Ａと、移動刃取付部としての、比較的幅の広いガイドプレート取付部１１Ｂと、に分けられている。さらに、この装置台板１１における、ガイドプレート取付部１１Ｂ側の端縁には、フランジ部１１Ｃが形成されている。この装置台板１１は、このフランジ部１１Ｃで、画像形成装置本体２側の被取付部材である切断装置固定部材３１の所定箇所にネジ３２で固定されている。なお、切断装置固定部材３１には、記録シート３Ａの記録材搬送路Ｒを干渉しないように、間隙Ｓが形成されている。
【００１６】
《固定刃取付台の構造》  次いで、固定刃取付台１２の構造について説明する。図２及び図３に示すように、固定刃取付台１２は、例えばアルミニウム等の金属でなり、中空な角筒形状に形成されている。また、この固定刃取付台１２は、固定刃取付部１１Ａの上に長手方向に沿って載置、固定されている。さらに、図３に示すように、この固定刃取付台１２は、装置台板１１のシート通過用スリット１９に臨む底部に、このシート通過用スリット１９に対して、記録材搬送方向の下流側から上流側に向けて挿入された記録シートガイド板部１２Ａが突設されている。この記録シートガイド板部１２Ａの長手方向の長さは、シート通過用スリット１９の長手方向の長さとほぼ同程度に設定されている。そして、図３に示すように、この記録シートガイド板部１２Ａは、先端縁に向けて記録材搬送路Ｒから遠ざかる方向へ拡がるように傾斜している。
【００１７】
また、固定刃取付台１２における上記シート通過用スリット１９に臨む側の上面には、固定刃１３を載置する固定刃載置用段部１２Ｂが形成されている。
【００１８】
《固定刃の構造》
次に、上述した固定刃載置用段部１２Ｂの上に載置される固定刃１３の構造について説明する。この固定刃載置用段部１２Ｂの上には、図２及び図３に示すように、固定刃１３が、刃先１３Ａをシート通過用スリット１９に臨んで突出させ、かつ刃先部分に形成された研磨面１３Ｂが斜め下を向くように載置されている。この固定刃１３は、図３に示すように、固定刃載置用段部１２Ｂの奥行き長さより僅かに長く設定されると共に、長手方向の長さは固定刃取付台１２の長手方向の長さと同程度の長さに設定されている。この固定刃１３は、固定刃取付台１２上に固定される止め板２０で固定されている。
【００１９】
《ガイドプレートの構造》  次に、ガイドプレート１４の構造について説明する。このガイドプレート１４は、上記した装置台板１１のガイドプレート取付部１１Ｂに沿って載置、固定されるものであり、上記した固定刃取付台１２よりも幅が広く長手方向の長さは固定刃取付台１２の長手方向の長さと同じに設定されている。このガイドプレート１４には、シート通過用スリット１９に臨む端縁に第１ガイド突堤２１と、この第１ガイド突堤２１から、固定刃取付台１２と反対方向に所定距離を隔ててこの第１ガイド突堤２１と平行をなすように形成された第２ガイド突堤２２と、が形成されている。これら第１及び第２ガイド突堤２１、２２の対向する面には、それぞれガイド溝２１Ａ、２２Ａが形成されている。
【００２０】
《移動刃キャリッジの構成》  次に、移動刃キャリッジ１６の構成について説明する。上述したように、この移動刃キャリッジ１６は、ガイドプレート１４に対してシート通過用スリット１９に沿って走行駆動されるようになっている。
【００２１】
この移動刃キャリッジ１６は、図２及び図３に示すように、移動プレート２３と、この移動プレート２３の下に一体に設けられた摺動ブロック２４と、上記移動プレート２３に形成された図示しない下軸受け部に回転軸が回転自在に挿入される回転丸刃１５と、回転丸刃１５の上側に突出する回転軸を挿入する、図示しない上軸受け部が形成されたカバー板２５と、カバー板２５の上に配置され回転丸刃１５の回転軸上端を軸方向に付勢する軸押さえ板２６と、を備えて大略構成されている。
【００２２】
なお、移動プレート２３の走行方向の両側部分には、図２に示すように、緩衝部材としてのコイルスプリング２７が連結されたワイヤ１８の両端部がそれぞれ固定されている。ワイヤ１８は、装置台板１１の両端に回転可能に軸支されたプーリ１７に掛け渡されている。また、一方のプーリ１７は、図示しない回転駆動制御系に連動するようになっている。
【００２３】
《押さえ板の構造》
次いで、本実施の形態に係る切断装置５における押さえ板３０の構造を図３及び図４を用いて説明する。
【００２４】
押さえ板３０は、切断装置固定部材３１の表面に沿って配置される底板部３０Ａと、底板部３０Ａの一方の縁から垂直に折れ曲がった立ち上がり板部３０Ｂと、立ち上がり板部３０Ｂの上縁から底板部３０Ａと対面して平行をなすように折れ曲がった平行板部３０Ｃと、平行板部３０Ｃの端縁から折れ曲がった立ち上がり板部３０Ｄとから形成されている。また、底板部３０Ａには、例えばロックネジなどの緊締部材用の孔３０Ｅが形成されている。すなわち、押さえ板３０は、固定刃取付台１２の側部と底部とに沿って断面Ｌ字状に形成された部分を有する構造である。
【００２５】
この押さえ板３０は、図３に示すように、立ち上がり板部３０Ｄが固定刃取付台１２の外側面に沿って配置されるように、切断装置固定部材３１にロックネジ３３で形成されている。平行板部３０Ｃは、装置台板１１の固定刃取付部１１Ａの直ぐ下方に配置されている。
【００２６】
《押さえ板の作用》
押さえ板３０は、固定刃取付台１２の外側面に沿って配置されているため、図３に太い矢印ｃで示す方向へ固定刃取付台１２が外側へ広がろうとした場合（スリット１９が広がろうとした場合）に、押さえ板３０の立ち上がり板部３０Ｄが広がりを抑える作用を持つ。また、この立ち上がり板部３０Ｄは、固定刃取付台１２に対して、図３に太い矢印ｄで示す方向に捻る力が作用したときに、固定刃取付台１２が捻れることを抑える作用がある。さらに、平行板部３０Ｃは、フランジ部１１Ｃ側で支持された装置台板１１が図３において時計方向に撓んだ場合に係当してそれ以上撓むことを防止する作用がある。
【００２７】
上記したように、固定刃取付台１２が矢印ｃ、ｄの方向に広がったり捻られたりするのは、記録シート３Ａの表面に皺や耳折れが発生した状態で送られてジャムが発生した場合である。その状態で、回転丸刃１５が移動を始めると、ジャムが発生した記録シート３Ａの皺等が回転丸刃１５のガイドとなって、移動キャリッジ１６側と、固定刃付台１２側とが、押し広げられる現象が発生するが、本実施の形態では、押さえ板３０を設けているため、移動キャリッジ１６側と、固定刃付台１２側とが、押し広げられる現象が発生することを未然に防止できる。したがって、回転丸刃１５が固定刃１３の下側に潜り込んで、回転丸刃１５が移動不能となることを防止できる。
【００２８】
また、本実施の形態に係る切断装置５では、押さえ板３０が固定刃取付台１２に固定部材で強固に結合されてはおらず、ある程度の緩衝作用を有する。
【００２９】
（他の実施の形態）
以上、実施の形態について説明したが、本発明はこれに限定されるものではなく、構成の要旨に付随する各種の変更が可能である。
【００３０】
例えば、上記した実施の形態では、押さえ板３０を板材を折り曲げて形成したが、実質的に固定刃取付台１２の外側を押さえる部分を有するものであれば他の構造であってもよい。
【００３１】
また、上述した実施の形態では、押さえ板３０を固定刃取付台１２に固着していないが、固着した構成としても勿論よい。
【００３２】
さらに、上述した実施の形態では、装置台板１１におけるガイドプレート取付部１１Ｂ側にフランジ部１１Ｃを設けたが、逆に固定刃取付部１１Ａ側にフランジ部を設けて、固定刃取付部１１Ａ側を切断装置固定部材３１に固定する構成としてもよい。この場合は、押さえ板３０は、ガイドプレート取付部１１Ｂの側部に押し当たるように設ければよい。
【００３３】
【発明の効果】
以上の説明から明らかなように、本発明によれば、移動刃が固定刃の下側に潜り込むことなく、確実にロール状記録材を切断できる切断装置を実現することができる。
【００３４】
また、本発明によれば、確実にロール状記録材を切断でき、しかもメンテナンスの手間を軽減できる画像形成装置を実現することができる。
【図面の簡単な説明】
【図１】本発明の実施の形態に係る画像形成装置の概略構成図である。
【図２】本発明の実施の形態に係る切断装置の斜視図である。
【図３】図２のＡ−Ａ断面図である。
【図４】本発明の実施の形態に係る切断装置における押さえ板の斜視図である。
【図５】従来の切断装置を示す要部断面図である。
【図６】従来の切断装置において移動刃が固定刃の下側に潜り込んだ状態を示す要部断面図である。
【符号の説明】
１……画像形成装置、３……ロール状記録シート（ロール状記録材）、３Ａ……記録シート（記録材）、５……切断装置、１１……装置台板、１１Ａ……固定刃取付部、１１Ｂ……ガイドプレート取付部、１１Ｃ……フランジ部、１２……固定刃取付台、１３……固定刃、１４……ガイドプレート、１５……回転丸刃、３０……押さえ板（広がり防止部材）、３１……切断装置固定部材（画像形成装置本体側の部材）
【図１】
2005008381.tif 000003
【図２】
2005008381.tif 000004
【図３】
2005008381.tif 000005
【図４】
2005008381.tif 000006
【図５】
2005008381.tif 000007
【図６】
2005008381.tif 000008